(57)【要約】【課題】従来のアンカー補強土壁構造では、盛土中に埋設されるアンカープレートが鉛直方向に向く姿勢で固定されているので、盛土の鉛直土圧力を受けるためのアンカープレートの平面視面積が小さくなり、盛土の重力による位置保持力が小さいものであった。【解決手段】各壁面材１１Ａ〜１１Ｄの背面側に連結材３１と該連結材３１に固定したアンカープレート３２とを有したアンカー３Ａ〜３Ｄをそれぞれ連続させているとともに、壁本体１の背面側に盛土２を充填して各アンカー３Ａ〜３Ｄを盛土２中に埋設して構成されたアンカー補強土壁構造において、各アンカープレート３２は、補強土壁の奥側に向けて上り傾斜させた姿勢で設置していることで、平面視におけるアンカープレート３２の面積を大きくでき、それによってアンカープレート３２に対して盛土の重力による位置保持力を大きくできるようにしている。【選択図】  図２
2020084480.tif 000002
【特許請求の範囲】
【請求項１】
複数の壁面材（１１Ａ〜１１Ｄ）を上下左右に配列して壁本体（１）とし、上記各壁面材（１１Ａ〜１１Ｄ）の背面側に連結材（３１）と該連結材（３１）に固定したアンカープレート（３２）とを有したアンカー（３Ａ〜３Ｄ）をそれぞれ連続させているとともに、上記壁本体（１）の背面側に盛土（２）を充填して上記各アンカー（３Ａ〜３Ｄ）を盛土（２）中に埋設して構成されたアンカー補強土壁構造であって、
上記各アンカープレート（３２）は、補強土壁の奥側に向けて上り傾斜させた姿勢で設置している、
ことを特徴とするアンカー補強土壁構造。
【請求項２】
上記各アンカープレート（３２）は、上記盛土（２）中に埋設した姿勢で上記壁面材（１１Ａ〜１１Ｄ）の高さと同高さを有したものを使用しているとともに、
上記各アンカープレート（３２）は、それぞれ奥側に上り傾斜させた姿勢で上下に積み重ねて連続壁状に設置している、
ことを特徴とする請求項１記載のアンカー補強土壁構造。
【請求項３】
上下に積み重ねた下側アンカープレート（３２）と上側アンカープレート（３２）との衝合部分に、相互に前後方向に係合する係合部（４１）と係合受部（４２）からなる位置ずれ防止構造（４）を設けている、
ことを特徴とする請求項２記載のアンカー補強土壁構造。
【請求項４】
上記各アンカープレート（３２）は、硬質の枠体（３２ｃ）内に金網状又は格子状のメッシュ材（３２ｄ）を組込んだ面状メッシュ体（３２Ａ）の前面に土砂通過阻止機能を有したシート材（３２Ｂ）を張設したものを採用している、
ことを特徴とする請求項２記載のアンカー補強土壁構造。
【発明の詳細な説明】
【技術分野】
【０００１】
本願発明は、複数の壁面材を上下左右に配列してなる壁本体の背面側に盛土を充填して構成された補強土壁に関し、さらに詳しくは各壁面材を背面側からアンカーで支持した構成のアンカー補強土壁構造に関するものである。
【背景技術】
【０００２】
代表的な補強土壁工法として、各壁面材の背面に広幅の帯鋼抵抗材を取付けたテールアルメ工法や、壁本体の背面に金網等の面状抵抗材を取付けたジオテキスタイル工法や、各壁面材の背面側に支圧抵抗機能を有したアンカーを取付けた多数アンカー工法等が知られている。尚、テールアルメ工法で使用される帯鋼抵抗材や、ジオテキスタイル工法で使用される面状抵抗材や、多数アンカー工法で使用されるアンカー等は、それぞれ壁本体の背面側に充填される盛土中に埋設されることによって引抜抵抗力を発揮するものである。
【０００３】
ところで、本件出願が対象としているのは、上記各補強土壁工法のうちの多数アンカー工法で造成されるアンカー補強土壁構造である。尚、この種のアンカー補強土壁構造の従来例としては、例えば特開２０１２−２１１５０７号公報（特許文献１）や特開２０１４−１２５７７８号公報（特許文献２）等に開示されたものがある。
【０００４】
図１４には、例えば山肌に道路を造成する場合に用いられる一般的な（従来例となる）アンカー補強土壁構造を示している。この従来例のアンカー補強土壁構造は、複数の壁面材１１Ａ〜１１Ｄを上下左右に配列してなる壁本体１の背面側に盛土２を充填している一方、各壁面材１１Ａ〜１１Ｄを背面側からそれぞれアンカー３Ａ〜３Ｄで支持して構成されている。尚、壁本体１の背面側に充填される盛土２としては、土壌に代えて砕石が用いられることがある。
【０００５】
上記壁面材１１Ａ〜１１Ｄは、一般にプレキャスト製のものが採用され、その大きさは、例えば幅が１００〜２００ｃｍ、高さが５０〜１００ｃｍ、厚さ（平板部の厚さ）が１０〜２０ｃｍ程度のものが多用されている。
【０００６】
上記各アンカー３Ａ〜３Ｄは、各壁面材１１Ａ〜１１Ｄの背面から奥側に延出する長尺鋼棒材からなる連結材３１と該連結材３１の後端部に固定される板状体（主としてプレキャスト製）からなるアンカープレート３２とで構成されている。
【０００７】
連結材３１は、盛土２部分の奥行き深さに応じて各種の長さが使用される。即ち、盛土２部分の奥行き深さが深い位置ほど、長さの長い連結材３１が使用される。
【０００８】
アンカープレート３２は、図１５及び図１６に拡大図示するように、例えば左右幅Ｗ１が３０ｃｍ、高さＨ１が３０ｃｍ、厚さ（奥行き幅）Ｄ１が３〜５ｃｍ程度のものが多用されている。そして、このアンカープレート３２は、連結材（長尺鋼棒材）３１の後端部において大面積部分（前面部分）が鉛直方向に向く姿勢で固定されている。尚、下記の特許文献１及び特許文献２の各アンカー補強土壁構造で使用されている各アンカープレートも、連結材の後端部において鉛直方向に向く姿勢で固定されている。
【０００９】
そして、図１４のアンカー補強土壁構造は、壁本体１の背面側に盛土２を充填していることにより、各アンカー３Ａ〜３Ｄの連結材３１及びアンカープレート３２を盛土２中に埋設した状態で構築されている。
【００１０】
ところで、この種（例えば図１４）のアンカー補強土壁構造において、盛土２部分は、壁本体１（各壁面材１１Ａ〜１１Ｄ）に対して水平方向の土圧力を発生させる前側のすべり領域Ｒ１と、アンカープレート３２に引抜抵抗を発生させる奥側の不動領域Ｒ２とからなり、それらの境界がすべり面Ｓとなる。
【００１１】
そして、このアンカー補強土壁構造では、盛土２部分におけるすべり面Ｓより前側のすべり領域Ｒ１の土圧力により、壁本体１の各壁面材１１Ａ〜１１Ｄに対してそれぞれ前方向きの押圧力が発生することで、各アンカー３Ａ〜３Ｄを前側に引っ張る作用（引抜力Ｆ）が発生するが、各アンカープレート３２がすべり面Ｓより奥側の不動領域Ｒ２に設置されていることで、該各アンカープレート３２が引抜抵抗となって各壁面材１１Ａ〜１１Ｄに対してそれぞれ支持機能を発揮するようになっている。
【先行技術文献】
【特許文献】
【００１２】
【特許文献１】特開２０１２−２１１５０７号公報
【特許文献１】特開２０１４−１２５７７８号公報
【発明の概要】
【発明が解決しようとする課題】
【００１３】
ところで、この種（例えば図１４）のアンカー補強土壁構造において、盛土２によるアンカープレート３２に対する位置保持力は、連結材３１を介してアンカープレート３２の前面で受ける水平方向の引抜抵抗力のほかに、アンカープレート３２に対して盛土２の重力（鉛直土圧力）による押圧力が加味されたものである。アンカープレート３２に対して位置保持力として機能する盛土２の範囲は、アンカープレート３２における平面視の面積部分（図１６の左右幅Ｗ１×奥行き幅Ｄ１の面積）に加わる鉛直方向の土圧力である。
【００１４】
そして、従来（例えば図１４）のアンカー補強土壁構造では、図１５及び図１６に拡大図示するように、盛土２中に埋設される各アンカープレート３２が鉛直方向に向く姿勢で固定されているので、アンカープレート３２における盛土２の重力（鉛直土圧力）を受ける面積（平面視の面積）は、厚さ（奥行き幅）Ｄ１×左右幅Ｗ１の細幅で比較的小面積となる。
【００１５】
従って、従来（例えば図１４〜図１６）のアンカー補強土壁構造における上記アンカープレート３２は、鉛直姿勢で設置されている関係で盛土２の重力（鉛直土圧力）を受ける面積（Ｗ１×Ｄ１の面積）が小さくなり、アンカープレート３２に対する盛土２の重力（鉛直土圧力）による位置保持力（上方からの押圧力）が小さいものとなっていた。
【００１６】
そこで、本願発明は、同形・同大きさのアンカープレートを用いたものであっても、簡単な手法を施すだけで盛土によるアンカープレートの位置保持力を向上させ得るようにした、アンカー補強土壁構造を提供することを目的としてなされたものである。
【課題を解決するための手段】
【００１７】
本願発明は、上記課題を解決するための手段として次の構成を有している。
【００１８】
［本願請求項１の発明］
本願請求項１の発明は、複数の壁面材を上下左右に配列して壁本体とし、各壁面材の背面側に連結材と該連結材に固定したアンカープレートとを有したアンカーをそれぞれ連続させているとともに、壁本体の背面側に盛土を充填して各アンカーを盛土中に埋設して構成されたアンカー補強土壁構造を対象にしている。尚、壁本体の背面側に充填される盛土としては、砕石が使用されることもある。
【００１９】
そして、本願請求項１のアンカー補強土壁構造では、各アンカープレートを、補強土壁の奥側に向けて上り傾斜させた姿勢で設置していることを特徴としている。
【００２０】
アンカープレートを盛土中において奥側に向けて上り傾斜させる角度は、特に限定するものではないが鉛直面から例えば２０゜〜４５゜程度の範囲で奥側に上り傾斜させたものでよい。尚、以下の説明では、上記「奥側に向けて上り傾斜させた姿勢」という文言を簡略化して「奥側上り傾斜姿勢」ということがある。
【００２１】
本願請求項１のアンカー補強土壁構造で使用するアンカーは、壁面材の背面から奥側に延出する連結材と該連結材の後端部に固定される板状体（主としてプレキャスト製）からなるアンカープレートとで構成されている。
【００２２】
連結材は、壁面材の背面とアンカープレートの前面とを緊張状態で連結し得るとともに、連結材後端部においてアンカープレートを奥側上り傾斜姿勢で支持し得るものであればよい。
【００２３】
連結材の材料としては、鋼製のもの（鋼棒材、細幅鋼平板材、鋼製ワイヤー等）や高張力を有する帯状ロープ（例えば高強度繊維ロープ）等が採用可能である。尚、連結材として可撓性のある帯状ロープを使用する場合は、アンカー埋設作業時にアンカープレートの安定性を確保するために、該アンカープレートの複数箇所にそれぞれ帯状ロープを連結するとよい。その場合、帯状ロープの少なくとも１本はアンカープレートの上部寄り位置（中間高さ位置より上部）に連結することが好ましい。
【００２４】
そして、本願請求項１の発明のアンカー補強土壁構造では、壁本体の背面側に充填された盛土中にアンカープレートを奥側上り傾斜姿勢で設置しているが、このようにアンカープレートを奥側上り傾斜姿勢で設置していると、平面視におけるアンカープレートの面積が大きくなるので、アンカープレートに対して鉛直土圧力として加わる盛土の量が多くなる。
【００２５】
又、アンカープレートを奥側上り傾斜姿勢で設置していると、その傾斜上面側に載る盛土の重量によってアンカープレートの上部側をさらに奥側に傾動させる作用が働くが、この奥側傾動作用は、アンカープレートに連結している連結材を緊張させる（奥側に引っ張る）作用として働くものであるので、連結材の前端部を連結している壁面材に対して盛土の土圧力による前方押出力（アンカーに対する引抜力に相当）に抗するものとなる。
【００２６】
［本願請求項２の発明］
本願請求項２の発明は、上記請求項１のアンカー補強土壁構造において、各アンカープレートは、盛土中に埋設した姿勢で壁面材の高さと同高さを有したものを使用しているとともに、各アンカープレートは、それぞれ奥側に上り傾斜させた姿勢で上下に積み重ねて連続壁状に設置していることを特徴としている。
【００２７】
この請求項２のアンカー補強土壁構造では、アンカープレートは盛土中に埋設した姿勢（奥側上り傾斜姿勢）で壁面材と同高さを有しているので、土中埋設状態におけるアンカープレートの平面視面積が一層大きくなり、それによってアンカープレートに対して鉛直土圧力として加わる盛土の量が一層多くなる。
【００２８】
又、各アンカープレートを奥側上り傾斜姿勢で上下に積み重ねて連続壁状に設置しているので、上段側のアンカープレートの施工に際して下段側のアンカープレートの上に載せることで位置決めができる。
【００２９】
［本願請求項３の発明］
本願請求項３の発明は、上記請求項２のアンカー補強土壁構造において、上下に積み重ねた下側アンカープレートと上側アンカープレートとの衝合部分に、相互に前後方向に係合する係合部と係合受部からなる位置ずれ防止構造を設けていることを特徴としている。
【００３０】
この請求項３のアンカー補強土壁構造では、上下に積み重ねた２つのアンカープレートの衝合部分に、相互に前後方向に係合する係合部と係合受部からなる位置ずれ防止構造を設けているので、上下に連続する各アンカープレート同士が位置ずれ防止構造で相互に補強し合うようになる。
【００３１】
［本願請求項４の発明］
本願請求項４の発明は、上記請求項２のアンカー補強土壁構造において、各アンカープレートは、硬質の枠体内に金網状又は格子状のメッシュ材を組込んだ面状メッシュ体の前面に土砂通過阻止機能を有したシート材を張設したものを採用していることを特徴としている。
【００３２】
この請求項４のアンカー補強土壁構造で使用しているアンカープレートでは、面状メッシュ体のメッシュ材部分に多数の空間部があるので、プレキャスト製のものに比して重量が大幅に軽量となる。
【００３３】
他方、アンカープレートが面状メッシュ体のみであると、メッシュ材の空間部から土砂が通過するので引抜抵抗機能はほとんどなくなるが、この請求項４で使用するアンカープレートは、面状メッシュ体の前面に土砂通過防止機能を有したシート材を張設しているので、アンカープレートとして十分な引抜抵抗機能を有したものとなる。
【発明の効果】
【００３４】
［本願請求項１の発明の効果］
本願請求項１の発明のアンカー補強土壁構造では、各壁面材の背面側に連続させたアンカーのアンカープレートを、盛土中において奥側上り傾斜姿勢で設置しているので、平面視におけるアンカープレートの面積が大きくなり、それによって該アンカープレートに対して鉛直土圧力として加わる盛土の量が多くなる。
【００３５】
従って、この請求項１の発明のアンカー補強土壁構造では、上記のようにアンカープレートに対して鉛直土圧力として加わる盛土の量が多くなることで、アンカープレートに対する位置保持力が増大するという効果がある。
【００３６】
又、アンカープレートの傾斜上面側に載る盛土の重量によって、アンカープレートの上部側をさらに奥側に傾動させる作用が働くが、この奥側傾動作用は連結材を緊張させる（奥側に引っ張る）作用として働くものである。このように、連結材を緊張させる（奥側に引っ張る）ことは、該連結材の前端部を連結している壁面材に対して盛土の土圧力による前方押出力（アンカーに対する引抜力に相当）に抗する力となるので、各壁面材をさらに安定姿勢で保持できるという効果がある。
【００３７】
［本願請求項２の発明の効果］
本願請求項２の発明は、上記請求項１のアンカー補強土壁構造において、アンカープレートは盛土中に埋設した姿勢（奥側上り傾斜姿勢）で壁面材と同高さを有しているので、土中埋設状態におけるアンカープレートの平面視面積が一層大きくなる。
【００３８】
従って、この請求項２の発明のアンカー補強土壁構造では、上記請求項１の効果に加えて、アンカープレートに対して鉛直土圧力として加わる盛土の量が一層多くなることで、アンカープレートに対する位置保持力が一層増大するとともに、連結材を緊張させる（奥側に引っ張る）作用が一層大きくなることで、壁本体に対する支持力が一層増大するという効果がある。
【００３９】
又、各アンカープレートを奥側上り傾斜姿勢で上下に積み重ねて連続壁状に設置しているので、上段側のアンカープレートの施工に際して下段側のアンカープレートの位置を目安にしてその下段側アンカープレートの上に載せるだけでよいので、上段側のアンカープレートの位置決めが容易になるという効果がある。
【００４０】
［本願請求項３の発明の効果］
本願請求項３の発明は、上記請求項２のアンカー補強土壁構造において、上下に積み重ねた２つのアンカープレートの衝合部分に、相互に前後方向に係合する係合部と係合受部からなる位置ずれ防止構造を設けている。
【００４１】
従って、この請求項３の発明のアンカー補強土壁構造では、上記請求項２の効果に加えて、上下に連続する各アンカープレート同士が位置ずれ防止構造で相互に補強し合うようになるので、連続壁状のアンカープレート全体の安定度が増大するという効果がある。
【００４２】
［本願請求項４の発明の効果］
本願請求項４の発明は、上記請求項２のアンカー補強土壁構造において、各アンカープレートとして、面状メッシュ体の前面に土砂通過阻止機能を有したシート材を張設したものを使用している。
【００４３】
従って、この請求項４の発明のアンカー補強土壁構造では、上記請求項２の効果に加えて、アンカープレート（主体が面状メッシュ体）を軽量にできるので、運搬時・施工時等の取り扱いが容易に行えるという効果があるとともに、アンカープレートを軽量化したものであってもシート材（土砂通過阻止機能を有している）により十分な引抜抵抗機能を発揮できるという効果がある。
【図面の簡単な説明】
【００４４】
【図１】本願発明の第１実施例のアンカー補強土壁構造を示す縦断面図である。
【図２】図１のII部分（アンカープレート設置部分）の拡大図である。
【図３】図２の斜視図である。
【図４】本願発明の第２実施例のアンカー補強土壁構造を示す縦断面図である。
【図５】図４のＶ部分（アンカープレート設置部分）の拡大図である。
【図６】図５の一部斜視図である。
【図７】本願発明の第３実施例のアンカー補強土壁構造を示す縦断面図である。
【図８】図７のVIII部分（アンカープレート設置部分）の拡大図である。
【図９】図８の一部斜視図である。
【図１０】本願発明の第４実施例のアンカー補強土壁構造で使用されるアンカープレートの説明図（面状メッシュ体とシート材とが分離状態の斜視図）である。
【図１１】図１０のアンカープレートを使用した第４実施例のアンカー補強土壁構造を示す断面図である。
【図１２】図１１のXII部分（アンカープレート設置部分）の拡大図である。
【図１３】図１２の一部斜視図である。
【図１４】従来の一般的なアンカー補強土壁構造を示す縦断面図である。
【図１５】図１４のXV部分（アンカープレート設置部分）の拡大図である。
【図１６】図１５の斜視図である。
【発明を実施するための形態】
【００４５】
以下、図１〜図１３を参照して本願のいくつかの実施例を説明すると、図１〜図３には本願請求項１を対象にした第１実施例のアンカー補強土壁構造を示し、図４〜図６には本願請求項１〜３を対象にした第２実施例のアンカー補強土壁構造を示し、図７〜図９には本願請求項１〜３を対象にした第３実施例のアンカー補強土壁構造を示し、図１０〜図１３には本願請求項１〜２及び４を対象にした第４実施例のアンカー補強土壁構造を示している。
【００４６】
［図１〜図３の第１実施例］
図１には、例えば山肌Ｐに道路を造成する場合に用いられる第１実施例のアンカー補強土壁構造を示しているが、この第１実施例のアンカー補強土壁構造では、複数の壁面材１１Ａ〜１１Ｄを上下左右に配列して壁本体１とし、各壁面材１１Ａ〜１１Ｄの背面側に連結材３１とアンカープレート３２とを有したアンカー３Ａ〜３Ｄを連続させているとともに、壁本体１の背面側に盛土２を充填して各アンカー３Ａ〜３Ｄを盛土２中に埋設して構成したものである。
【００４７】
壁本体１の背面側に充填される盛土２は、一般に土壌が使用されるが、土壌に代えて砕石を使用してもよい。
【００４８】
図１において使用（例示）されている壁面材１１Ａ〜１１Ｄは、プレキャスト製で、例えば幅が１００〜２００ｃｍ、高さが５０〜１００ｃｍ、厚さ（平板部の厚さ）が１０〜２０ｃｍ程度の大きさのものである。尚、この各壁面材１１Ａ〜１１Ｄの材料及び大きさは、特に限定するものではなく、機能を損なわない範囲で設計変更できるものである。
【００４９】
アンカー３Ａ〜３Ｄは、壁面材１１Ａ〜１１Ｄの背面から奥側に延出する連結材３１と該連結材３１の後端部に固定されるアンカープレート３２とで構成されている。
【００５０】
図１〜図３の第１実施例では、連結材３１として、１つのアンカープレート３２に対して１本の鋼棒材３１ａが使用されている。この連結材３１（鋼棒材３１ａ）は、その前端部を壁面材１１Ａ〜１１Ｄの背面に固定できるとともに、その後端部にアンカープレート３２を固定し得るものである。又、この連結材３１は、アンカーが設置される高さにおける盛土２の奥行き深さに応じてそれぞれ所定長さのものが採用される。即ち、各段における連結材３１は、後述するように連結材３１の後端部に固定されるアンカープレート３２を盛土２におけるすべり面Ｓより奥側の不動領域Ｒ２に位置させ得る長さのものが使用される。
【００５１】
この第１実施例で使用されるアンカープレート３２は、プレキャスト製で、例えば３０ｃｍ×３０ｃｍ程度の面積で厚さが３〜５ｃｍの大きさのものである。尚、このアンカープレート３２の材料及び大きさは、特に限定するものではなく、機能を損なわない範囲で設計変更できるものである。
【００５２】
図１の施工例では、壁本体１として、壁面材を上下４段（符号１１Ａ〜１１Ｄ）に積み上げている一方、左右方向に所定個数連続並置したものを採用している。尚、壁本体１を構成する各壁面材１１Ａ〜１１Ｄの積み上げ段数は、施工現場によって設定されるものであるが、実際にはもっと多いものがある（例えば１０段以上のものも多々ある）。
【００５３】
尚、図１の施工例では、各壁面材１１Ａ〜１１Ｄを上下連続状態て積み上げて壁本体１を上下連続壁としているが、上側の壁面材を下側の壁面材に対して若干奥側にずらせて段差を設け、その段差部分に花壇を設けるようにした壁本体であってもよい。
【００５４】
そして、図１のアンカー補強土壁構造は、次の手順で構築される。
【００５５】
まず、山肌Ｐを掘削・排土して空間部Ｑを形成し、その空間部Ｑの下面前端寄り位置（基礎１０部分の上）に第１段壁面材１１Ａを左右方向に所定個数並置した状態でそれぞれ立設・固定する。
【００５６】
次に、第１段壁面材１１Ａの背面側に、第１段アンカー３Ａ（アンカープレート３２）の設置予定高さ（第１段高さ）Ｌ１まで第１段盛土２Ａを充填する。尚、該第１段盛土２Ａは転圧機で十分に締め固める。
【００５７】
次に、第１段盛土２Ａの上に連結材３１とアンカープレート３２とで構成された第１段アンカー３Ａを設置するが、そのアンカー設置作業は、連結材３１の前端部を第１段壁面材１１Ａの背面に固定し、該連結材３１の後端部にアンカープレート３２を奥側上り傾斜姿勢で固定する。尚、アンカープレート３２は、後述するように盛土２におけるすべり面Ｓより奥側の不動領域Ｒ２に設置される。
【００５８】
この第１実施例では、図２〜図３に拡大図示するように、アンカープレート３２の中心部を連結材３１（鋼棒材３１ａ）の後端部において固定具３３で所定角度Ａだけ奥側に上り傾斜させた姿勢で固定している。アンカープレート３２の奥側上り傾斜角度Ａは、特に限定するものではないが、例えば２０゜〜４５゜程度の範囲が適当である。尚、図示例では、アンカープレート３２の奥側上り傾斜角度Ａを３０゜に設定している。
【００５９】
次に、第１段壁面材１１Ａの上に第２段壁面材１１Ｂを積み重ねた後（上下の壁面材は適宜の方法で連結・固定する）、第２段アンカー３Ｂ（アンカープレート３２）の設置予定高さ（第２段高さ）Ｌ２まで第２段盛土２Ｂを充填し、その第２段盛土２Ｂを転圧機で締め固める。
【００６０】
そして、以下順次同様に、第２段盛土２Ｂの上に第２段アンカー３Ｂを設置し、第２段壁面材１１Ｂの上に第３段壁面材１１Ｃを継ぎ足し、第３段高さＬ３まで第３段盛土２Ｃを充填し、第３段盛土２Ｃの上に第３段アンカー３Ｃを設置し、第３段壁面材１１Ｃの上に最終の第４段壁面材１１Ｄを継ぎ足し、第４段高さＬ４まで第４段盛土２Ｄを充填し、第４段盛土２Ｄの上に第４段アンカー３Ｄを設置し、最後に最上段（第４段）壁面材１１Ｄの上端高さＬ５まで第５段盛土２Ｅを充填することで、図１のアンカー補強土壁構造を完成させることができる。
【００６１】
図１（第１実施例）のアンカー補強土壁構造においても、盛土２部分は、壁本体１（各壁面材１１Ａ〜１１Ｄ）に対して水平方向の土圧力を発生させる前側のすべり領域Ｒ１と、アンカープレート３２に引抜抵抗を発生させる奥側の不動領域Ｒ２とからなり、それらの境界がすべり面Ｓとなる。
【００６２】
そして、このアンカー補強土壁構造でも、盛土２部分におけるすべり面Ｓより前側のすべり領域Ｒ１の土圧力により、壁本体１の各壁面材１１Ａ〜１１Ｄに対してそれぞれ前方向きの押圧力が発生することで、各アンカー３Ａ〜３Ｄを前側に引っ張る作用（引抜力Ｆ）が発生するが、各アンカープレート３２がすべり面Ｓより奥側の不動領域Ｒ２に設置されていることで、該各アンカープレート３２が引抜抵抗となって各壁面材１１Ａ〜１１Ｄに対してそれぞれ支持機能を発揮するようになっている。
【００６３】
ところで、図１〜図３（第１実施例）のアンカー補強土壁構造においても、盛土２によるアンカープレート３２に対する位置保持力は、連結材３１を介してアンカープレート３２の前面で受ける水平方向の引抜抵抗力のほかに、アンカープレート３２に対して盛土２の重力（鉛直土圧力）による押圧力が加味されたものである。
【００６４】
そして、この第１実施例のアンカー補強土壁構造において、アンカープレート３２に対して位置保持力として機能する盛土２の範囲は、アンカープレート３２における平面視の面積部分（図３の左右幅Ｗ２×奥行き幅Ｄ２の面積）に加わる鉛直方向の土圧力であるが、アンカープレート３２は奥側上り傾斜姿勢（図示例では傾斜角度Ａ＝３０゜）で設置されているので、アンカープレート３２に対して鉛直土圧力として加わる盛土２の量は、図１４〜図１６（従来例）のようにアンカープレート３２を鉛直姿勢で設置したものより格段に多くなる。
【００６５】
従って、この第１実施例のアンカー補強土壁構造では、アンカープレート３２に対して鉛直土圧力として加わる盛土２の量が多くなることで、アンカープレート３２に対する位置保持力が増大するという機能が発生する。
【００６６】
又、アンカープレート３２の傾斜上面側に載る盛土２の重量によって、アンカープレート３２の上部側をさらに奥側に傾動させる作用が働くが、この奥側傾動作用は連結材３１を緊張させる（奥側に引っ張る）作用として働くものである。このように、連結材３１を緊張させる（奥側に引っ張る）ことは、該連結材３１の前端部を連結している壁面材（１１Ａ〜１１Ｄ）に対して盛土２の土圧力による前方押出力（アンカーに対する引抜力Ｆに相当）に抗する力となるので、各壁面材１１Ａ〜１１Ｄをさらに安定姿勢で保持できるという機能が発生する。
【００６７】
［図４〜図６の第２実施例］
図４〜図６の第２実施例は、上記第１実施例のアンカー補強土壁構造におけるアンカー３Ａ〜３Ｄの変形例を示している。
【００６８】
この第２実施例（図４〜図６）のアンカー補強土壁構造では、各アンカー３Ａ〜３Ｄのアンカープレート３２として、盛土２中に埋設した姿勢（奥側上り傾斜姿勢）で壁面材（１１Ａ〜１１Ｄ）と同高さで且つ該壁面材と同幅を有したものを使用している。尚、アンカープレート３２の側辺長さは、盛土２中に奥側上り傾斜姿勢で埋設される関係で、実質的には壁面材（１１Ａ〜１１Ｄ）の側辺長さよりは長くなっている（傾斜角度Ａが３０゜で側辺長さが約１５％増となる）。
【００６９】
又、この第２実施例（図４〜図６）で使用されているアンカープレート３２は、プレキャスト製で、単なる平板形状のものが採用されているが、壁面材（１１Ａ〜１１Ｄ）の面積に適合させるために、図６に示すように、アンカープレート３２の左右幅Ｗ３を壁面材の左右幅と同幅（例えばＷ３＝１００〜２００ｃｍの範囲）に設定したものを使用している。
【００７０】
そして、この第２実施例のアンカー補強土壁構造では、各アンカープレート３２は、各壁面材１１Ａ〜１１Ｄに対応する高さ位置においてそれぞれ奥側に上り傾斜させた姿勢で上下に積み重ねて連続壁状に設置している。尚、アンカープレート３２を盛土２中に奥側上り傾斜姿勢で設置した状態では、上下方向の高さＨ３（図５、図６参照）が各壁面材１１Ａ〜１１Ｄの高さと同じになっている。
【００７１】
この第２実施例では、各壁面材１１Ａ〜１１Ｄと各アンカープレート３２を連結する連結材３１として、高強度の帯状ロープ３１ｂを使用している。この帯状ロープ３１ｂには、例えば高張力繊維を撚り線にしたものが使用できるが、この帯状ロープ３１ｂは可撓性を有したものである。
【００７２】
そして、この帯状ロープ３１ｂは、アンカープレート３２を安定支持するために、相互に対向する壁面材（１１Ａ〜１１Ｄ）とアンカープレート３２間にそれぞれ複数本（図示例では４本）使用している。尚、１つのアンカープレート３２に対して４本の帯状ロープ３１ｂを使用する場合は、図６に示すように、４本の帯状ロープ３１ｂでアンカープレート３２の上下・左右の各隅寄り４箇所を支持するようにするとよい。
【００７３】
この第２実施例で使用されるアンカープレート３２は、面積が大きくて大重量であるので、奥側上り傾斜姿勢で組付ける際の自立性が悪くなることが懸念される。そこで、この第２実施例では、アンカープレート３２を各帯状ロープ３１ｂで支持するまでは、奥側上り傾斜姿勢で設置した状態のアンカープレート３２を奥面側から支え材３４で支えるようにしている。
【００７４】
さらに、この第２実施例のアンカー補強土壁構造では、上下に積み重ねた２つのアンカープレート３２，３２間の衝合部分に、相互に前後方向に係合する係合部４１と係合受部４２からなる位置ずれ防止構造４を採用している。即ち、図５〜図６に拡大図示するように、各アンカープレート３２には、その下端部に下向き凸状の係合部４１を設ける一方、その上端部に該係合部４１を受ける上向き凹状の係合受部４２を設けていて、２つのアンカープレート３２，３２を上下に積み重ねたときに下側アンカープレート３２の上端部にある係合受部４２と上側アンカープレート３２の下端部にある係合部４１とが相互に前後方向に係合するようにしている。
【００７５】
この第２実施例（図４〜図６）のアンカー補強土壁構造の構築方法は、上記第１実施例（図１〜図３）のものとほぼ同じであるので、その説明を援用する。尚、図１〜図３の第１実施例と図４〜図６の第２実施例にそれぞれ同符号を付しているものは、相互に同じものを意味するものである。
【００７６】
この第２実施例のアンカー補強土壁構造では、各アンカープレート３２は盛土２中に埋設した姿勢（奥側上り傾斜姿勢）で、対応する各壁面材（１１Ａ〜１１Ｄ）と同高さを有しているので、土中埋設状態におけるアンカープレート３２の平面視面積（図６の左右幅Ｗ３×奥行き幅Ｄ３の面積）が一層大きくなり、それによってアンカープレート３２に対して鉛直土圧力として加わる盛土２の量が一層多くなる。
【００７７】
又、アンカープレート３２の平面視面積（図６の左右幅Ｗ３×奥行き幅Ｄ３の面積）が大きくなることで、アンカープレート３２に対して鉛直土圧力として加わる盛土２の量が一層多くなると、アンカープレート３２の上部側をさらに奥側に傾動させる作用が一層強く働き、それが連結材３１（特に上部側の帯状ロープ３１ｂ）をさらに強く緊張させる（奥側に引っ張る）ことになる。このことは壁面材（１１Ａ〜１１Ｄ）に対して盛土２の土圧力による前方押出力（アンカーに対する引抜力Ｆに相当）に抗する力となるので、アンカープレート３２の平面視面積が大きくなるほど、各壁面材１１Ａ〜１１Ｄに対する安定姿勢保持機能が増大する。
【００７８】
［図７〜図９の第３実施例］
図７〜図９の第３実施例は、上記第２実施例（図４〜図６）のアンカー補強土壁構造におけるアンカープレート３２の変形例を示している。
【００７９】
この第３実施例のアンカー補強土壁構造では、アンカープレート３２として、奥側上り傾斜している斜面版３２ａの下端部に奥向き水平方向に延出する支え版３２ｂを一体形成したものを使用している。この支え版３２ｂの奥側延出長さは、斜面版３２ａを奥側上り傾斜させた姿勢のままで、アンカープレート３２をそれぞれの設置面上に自立させ得る長さを有している。
【００８０】
そして、この第３実施例のアンカー補強土壁構造では、各段のアンカー３Ａ〜３Ｄを組立てる際に、アンカープレート３２の支え版３２ｂをそれぞれの設置面（各段の盛土２Ａ〜２Ｃの上面等）に載せるだけで、アンカープレート３２を自立させることができるので、アンカー３Ａ〜３Ｄの組付け作業が簡単となるという機能を有している。
【００８１】
又、この第３実施例（図７〜図９）のアンカー補強土壁構造においても、上下に積み重ねた２つのアンカープレート３２，３２間の衝合部分に、相互に前後方向に係合する係合部４１と係合受部４２からなる位置ずれ防止構造４を採用している。即ち、図８〜図９に拡大図示するように、各アンカープレート３２には、その上端部に上向き凸状の係合部４１を設ける一方、その下端部に該係合部４１を受ける上向き凹状の係合受部４２を設けていて、２つのアンカープレート３２，３２を上下に積み重ねたときに下側アンカープレート３２の上端部にある係合部４１と上側アンカープレート３２の下端部にある係合受部４２とが相互に前後方向に係合するようにしている。
【００８２】
この第３実施例（図７〜図９）のアンカー補強土壁構造の構築方法は、上記第２実施例（図４〜図６）のものとほぼ同じであるので、その説明を援用する。尚、図４〜図６の第２実施例と図７〜図９の第３実施例にそれぞれ同符号を付しているものは、相互に同じものを意味するものである。
【００８３】
そして、この第３実施例のアンカー補強土壁構造でも、上記第２実施例のものと同様に、各アンカープレート３２は盛土２中に埋設した姿勢（奥側上り傾斜姿勢）で、対応する各壁面材（１１Ａ〜１１Ｄ）と同高さを有しているので、土中埋設状態におけるアンカープレート３２の平面視面積（図９の左右幅Ｗ３×奥行き幅Ｄ３の面積）が一層大きくなり、それによってアンカープレート３２に対して鉛直土圧力として加わる盛土２の量が一層多くなる。
【００８４】
又、アンカープレート３２の平面視面積（図９の左右幅Ｗ３×奥行き幅Ｄ３の面積）が大きくなることで、アンカープレート３２に対して鉛直土圧力として加わる盛土２の量が一層多くなると、アンカープレート３２の上部側をさらに奥側に傾動させる作用が一層強く働き、それが連結材３１（特に上部側の帯状ロープ３１ｂ）をさらに強く緊張させる（奥側に引っ張る）ことになる。このことは壁面材（１１Ａ〜１１Ｄ）に対して盛土２の土圧力による前方押出力（アンカーに対する引抜力Ｆに相当）に抗する力となるので、アンカープレート３２の平面視面積が大きくなるほど、各壁面材１１Ａ〜１１Ｄに対する安定姿勢保持機能が増大する。
【００８５】
［図１０〜図１３の第４実施例］
図１０〜図１３の第４実施例は、上記第２実施例（図４〜図６）のアンカー補強土壁構造におけるアンカープレート３２の変形例を示している。
【００８６】
この第４実施例のアンカー補強土壁構造では、アンカープレート３２として、図１０に示すように、枠体３２ｃ内に金網状又は格子状のメッシュ材３２ｄを組込んだ面状メッシュ体３２Ａと、該面状メッシュ体３２Ａの前面に張設されるシート材３２Ｂとで構成されている。
【００８７】
面状メッシュ体３２Ａの枠体３２ｃは、盛土２中に埋設した状態でも耐久性のある硬質材料製で矩形に成形したものである。尚、この枠体３２ｃの材料としては、例えば防錆処理した金属パイプや高強度樹脂パイプ等が採用可能できる。
【００８８】
面状メッシュ体３２Ａのメッシュ材３２ｄは、盛土２中に埋設した状態でも耐久性のある材料（例えば金属線材や高強度樹脂等）で、金網状又は格子状に成形したものである。
【００８９】
シート材３２Ｂは、土砂の通過を阻止でき且つ盛土２中に埋設した状態で耐久性のある材料（例えば厚手の剛性樹脂シートや布類）製で、メッシュ材３２ｄの全面を被覆する面積を有している。
【００９０】
そして、この第４実施例で使用されるアンカープレート３２は、図１３に示すように、シート材３２Ｂを面状メッシュ体３２Ａの前面（メッシュ材３２ｄの前面）に張設することで完成させたものである。
【００９１】
又、このアンカープレート３２は、盛土２中に埋設した状態（奥側上り傾斜姿勢）で壁面材（１１Ａ〜１１Ｄ）と同高さで且つ同幅を有している。
【００９２】
この第４実施例で使用されるアンカープレート３２は、図１３に示すように面状メッシュ体３２Ａ（メッシュ材３２ｄ部分）の前面の全面にシート材３２Ｂを張設したものであるが、図１１〜図１２に示すように盛土２中に埋設した状態で、土圧に対してほとんど変形しない剛性を有したものである。
【００９３】
又、このアンカープレート３２は、盛土２中に埋設した状態（奥側上り傾斜姿勢）で壁面材（１１Ａ〜１１Ｄ）と同高さで且つ同幅を有している。
【００９４】
この第４実施例（図１０〜図１３）のアンカー補強土壁構造の構築方法は、上記第２実施例（図４〜図６）のものとほぼ同じであるので、その説明を援用する。尚、図４〜図６の第２実施例と図１０〜図１３の第４実施例にそれぞれ同符号を付しているものは、相互に同じものを意味するものである。
【００９５】
そして、この第４実施例のアンカー補強土壁構造でも、土中埋設状態におけるアンカープレート３２の平面視面積（図１３の左右幅Ｗ３×奥行き幅Ｄ３の面積）が大きくなり、それによってアンカープレート３２に対して鉛直土圧力として加わる盛土２の量が多くなる。
【００９６】
さらに、この第４実施例でも、各アンカープレート３２が奥側上り傾斜していることで、アンカープレート３２の上部側をさらに奥側に傾動させる作用が強く働き、それが壁面材（１１Ａ〜１１Ｄ）に対して盛土２の土圧力による前方押出力（アンカーに対する引抜力Ｆに相当）に抗する力となって、各壁面材１１Ａ〜１１Ｄに対する安定姿勢保持機能が増大する。
【００９７】
又、この第４実施例で使用しているアンカープレート３２では、その主体部となる面状メッシュ体３２Ａのメッシュ材３２ｄ部分に多数の空間部があるので、プレキャスト製のものに比して重量が大幅に軽量となり、運搬時・施工時等の取り扱いが容易に行える。
【００９８】
又、このアンカープレート３２では、その主体部（面状メッシュ体３２Ａ）にメッシュ材３２ｄを設けることで軽量としたものであっても、面状メッシュ体３２Ａの前面に土砂通過防止機能を有したシート材３２Ｂを張設しているので、アンカープレート３２として十分な引抜抵抗機能を有したものとなる。
【００９９】
尚、この第４実施例でも、アンカープレート３２と壁面材（１１Ａ〜１１Ｄ）とを連結している連結材３１に帯状ロープ３１ｂを使用しているが、他の実施例では、連結材３１として、アンカープレート３２の左右両側に第４実施例のアンカープレート３２の面状メッシュ体３２Ａと同構造の面状メッシュ体を縦向き姿勢で使用してもよい。
【符号の説明】
【０１００】
１は壁本体、２は盛土、３Ａ〜３Ｄはアンカー、４は位置ずれ防止構造、１１Ａ〜１１Ｄは壁面材、３１は連結材、３１ａは鋼棒材、３１ｂは帯状ロープ、３２はアンカープレート、３２Ａは面状メッシュ体、３２Ｂはシート材、３２ｃは枠体、３２ｄはメッシュ材、４１は係合部、４２は係合受部である。
【図１】
2020084480.tif 000003
【図２】
2020084480.tif 000004
【図３】
2020084480.tif 000005
【図４】
2020084480.tif 000006
【図５】
2020084480.tif 000007
【図６】
2020084480.tif 000008
【図７】
2020084480.tif 000009
【図８】
2020084480.tif 000010
【図９】
2020084480.tif 000011
【図１０】
2020084480.tif 000012
【図１１】
2020084480.tif 000013
【図１２】
2020084480.tif 000014
【図１３】
2020084480.tif 000015
【図１４】
2020084480.tif 000016
【図１５】
2020084480.tif 000017
【図１６】
2020084480.tif 000018